(57)【要約】【課題】本発明は、携帯型再生装置の使い勝手を向上させる。【解決手段】本発明は、携帯型再生装置２において、イヤピース４２及び５２と振動板とが互いの中心軸を垂直にして設けられた右イヤホン２５及び左イヤホン２６に音声データを供給するための回路が設けられた装置筐体１０の装置背面１０Ｆに、右イヤホン２５及び左イヤホン２６を、振動板の中心軸を装置背面１０Ｆに対して垂直にして着脱可能に装着するイヤホン装着部５９を設けることにより、携帯型再生装置２において、右イヤホン２５及び左イヤホン２６の非使用時、イヤホン装着部５９に装置厚み方向に大型化することを防止しながら右イヤホン２５及び左イヤホン２６を装着させて一体化しておくことができ、かくして携帯型再生装置２の使い勝手を向上させることができる。【選択図】図８
2010219775.tif 000002
【特許請求の範囲】
【請求項１】
イヤピースと振動板とが互いの中心軸を垂直にして設けられたイヤホンに音声データを供給するための回路が設けられた装置筐体と、
上記装置筐体の所定面に設けられ、上記イヤホンを、上記振動板の中心軸を上記装置筐体の上記所定面に対して垂直にして着脱可能に装着するイヤホン装着部と
を具える携帯機器。
【請求項２】
上記イヤホン装着部は、
上記イヤホンとして、一対の右イヤホン及び左イヤホンを、当該右イヤホンの上記振動板と上記左イヤホンの上記振動板とを近接させて、上記右イヤホンの上記イヤピースの先端と上記左イヤホンの上記イヤピースの先端とを互いに反対方向へ向けるように一列に並べた装着姿勢で装着する
請求項１に記載の携帯機器。
【請求項３】
上記イヤホン装着部に設けられ、上記右イヤホンが一方の側面から突出するように設けられた右筐体と、上記左イヤホンが一方の側面から突出するように設けられた左筐体とを、互いの他方の側面を接触させた装着姿勢で保持するための凹部でなる筐体保持部
を具える請求項２に記載の携帯機器。
【請求項４】
上記イヤホン装着部の上記筐体保持部の底面に配置された１又は複数の操作ボタン
を具え、
上記イヤホン装着部は、
上記右イヤホン及び上記左イヤホンの装着時、上記筐体保持部内に保持した上記右筐体及び上記左筐体により上記操作ボタンを外部から隠蔽する
請求項３に記載の携帯機器。
【請求項５】
上記イヤホン装着部は、
上記筐体保持部の周囲の縁部の所定部分の高さが他の部分の高さよりも高く選定された
請求項４に記載の携帯機器。
【請求項６】
上記イヤホン装着部は、
上記装置筐体の上記所定面に着脱可能に設けられた
請求項５に記載の携帯機器。
【請求項７】
上記イヤホン装着部に設けられ、上記右イヤホンと上記左イヤホンとに接続されたイヤホンケーブルを巻き取るためのケーブル巻取部
を具える請求項５に記載の携帯機器。
【請求項８】
上記装置筐体内に収納され、装置自体を駆動するための電力を供給するバッテリと、
上記イヤホン装着部に設けられ、上記右イヤホン及び上記左イヤホンの装着時、上記右筐体及び上記左筐体の一方に収納されたバッテリと電気的に接続される接続端子と、
上記イヤホン装着部に対する上記右イヤホン及び上記左イヤホンの装着時、上記装置筐体内の上記バッテリから供給される電力により、上記右筐体及び上記左筐体の一方に収納された上記バッテリを充電する充電回路と
を具える請求項５に記載の携帯機器。
【請求項９】
携帯機器の所定面に設けられ、イヤピースと振動板とが互いの中心軸を垂直にして設けられたイヤホンを、上記振動板の中心軸を上記装置筐体の上記所定面に対して垂直にして着脱可能に装着する装着部筐体
を具えるイヤホン装着装置。
【請求項１０】
イヤピースと振動板とが互いの中心軸を垂直にして設けられたイヤホンと、
上記イヤホンに音声データを供給するための回路が設けられた装置筐体を有する携帯機器と、
上記携帯機器の上記装置筐体の所定面に設けられ、上記イヤホンを、上記振動板の中心軸を上記装置筐体の上記所定面に対して垂直にして着脱可能に装着するイヤホン装着部と
を具える携帯再生システム。
【発明の詳細な説明】
【技術分野】
【０００１】
本発明は携帯機器、イヤホン装着装置及び携帯再生システムに関し、例えば、一対のステレオ用のイヤホン装置と、当該イヤホン装置を着脱可能に装着する携帯型再生装置とから構築される携帯再生システムに適用して好適なものである。
【背景技術】
【０００２】
従来の携帯型再生装置は、再生時、内部の記録メディアから音楽のような音声の音声データを読み出して再生処理し、得られた音声信号をイヤホンに送出する。これにより携帯型再生装置は、イヤホンを介して音声信号に基づく音声を出力してユーザに聴かせていた（例えば、特許文献１参照）。
【０００３】
また従来、携帯電話として、イヤホン及びマイクロホンを有する無線ヘッドセットと共に使用され、筐体の背面に、無線ヘッドセットの形状に対応する凹部が設けられたものがある。かかる構成の携帯電話は、凹部内に無線ヘッドセットが押し込まれると、当該凹部内に無線ヘッドセットを固着していた（例えば、特許文献２参照）。
【先行技術文献】
【特許文献】
【０００４】
【特許文献１】特開２００７−５９０３４公報（第６頁、図１、図２）
【特許文献２】特表２００７−５２０１０５公報（第９頁、図１Ｃ）
【発明の概要】
【発明が解決しようとする課題】
【０００５】
ところで、従来の携帯型再生装置についても、従来の携帯電話と同様に、筐体にイヤホンを着脱可能に装着するように構成すれば、当該携帯型再生装置を持運時や保管時等にイヤホンと一緒にしておくことができる。
【０００６】
すなわち、従来の携帯型再生装置については、かかる構成により、音声データを再生する際、いちいちイヤホンを探させるような煩わしさを回避することができ、使い勝手を向上させ得ると考えられる。
【０００７】
しかしながら、従来の携帯型再生装置は、未だ筐体にイヤホンを着脱可能に装着し得るようには構成されていないため、使い勝手を向上させ得ないという問題があった。
【０００８】
本発明は以上の点を考慮してなされたもので、携帯機器の使い勝手を向上し得る当該携帯機器、イヤホン装着装置及び携帯再生システムを提案しようとするものである。
【課題を解決するための手段】
【０００９】
かかる課題を解決するため本発明においては、携帯機器において、イヤピースと振動板とが互いの中心軸を垂直にして設けられたイヤホンに音声データを供給するための回路が設けられた装置筐体の所定面に、イヤホンを、振動板の中心軸を装置筐体の所定面に対して垂直にして着脱可能に装着するイヤホン装着部を設けるようにした。
【００１０】
従って本発明では、携帯機器において、イヤホンの非使用時、携帯機器のイヤホン装着部に対し、装置厚み方向に大型化することを防止しながらイヤホンを装着させて一体化しておくことができる。
【発明の効果】
【００１１】
本発明によれば、携帯機器において、イヤピースと振動板とが互いの中心軸を垂直にして設けられたイヤホンに音声データを供給するための回路が設けられた装置筐体の所定面に、イヤホンを、振動板の中心軸を装置筐体の所定面に対して垂直にして着脱可能に装着するイヤホン装着部を設けるようにしたことにより、携帯機器において、イヤホンの非使用時、携帯機器のイヤホン装着部に対し、装置厚み方向に大型化することを防止しながらイヤホンを装着させて一体化しておくことができ、かくして携帯機器の使い勝手を向上し得る当該携帯機器、イヤホン装着装置及び携帯再生システムを実現することができる。
【図面の簡単な説明】
【００１２】
【図１】本発明による携帯再生システムの構成の一実施の形態を示す略線的斜視図である。
【図２】イヤホン装置の右耳装着部の構成を示す分解斜視図である。
【図３】右耳装着部と左耳装着部との外観構成を示す略線的斜視図である。
【図４】イヤホン装置の左耳装着部の構成を示す分解斜視図である。
【図５】イヤホン装着部の構成（１）を示す略線的斜視図である。
【図６】イヤホン装着部の構成（２）を示す略線的正面図である。
【図７】イヤホン装着部へのイヤホン装置の装着（１）の説明に供する略線的斜視図である。
【図８】イヤホン装着部へのイヤホン装置の装着（２）の説明に供する略線的斜視図である。
【図９】イヤホン装着部の接続端子及び他端側縁部の構成を示す略線的断面図である。
【図１０】イヤホン装着部における右筐体及び左筐体の保持の説明に供する略線的断面図である。
【図１１】イヤホン装着部におけるイヤホンケーブルの巻き取りの説明に供する略線的側面図である。
【図１２】イヤホン装着部へのイヤホン装置の装着（３）の説明に供する略線的斜視図である。
【図１３】イヤホン装着部の構成の変形例（１）を示す略線的斜視図である。
【図１４】イヤホン装着部の構成の変形例（２）を示す略線的斜視図である。
【図１５】携帯再生システムの構成の変形例を示す略線的斜視図である。
【発明を実施するための形態】
【００１３】
以下図面について、発明を実施するための最良の形態（以下、これを実施の形態とも呼ぶ）について説明する。なお、説明は以下の順序で行う。
１．実施の形態
２．変形例
【００１４】
＜１．実施の形態＞
［１−１  携帯再生システムの構成］
図１において、１は全体として本発明による携帯再生システムの構成を示す。かかる携帯再生システム１は、携帯型再生装置２と、イヤホン装置３とが例えば、Ｂｌｕｅｔｏｏｔｈと呼ばれる近距離無線通信規格に準じて無線通信し得るようになされている。
【００１５】
携帯型再生装置２は、偏平矩形状の筐体（以下、これを装置筐体とも呼ぶ）１０を有している。そして装置筐体１０の内部には、携帯型再生装置２を駆動するための電力を供給可能なバッテリ（図示せず）が収納されている。
【００１６】
また装置筐体１０の内部には、ＣＰＵ（Central  Processing  Unit）や半導体メモリ、上述の近距離無線通信規格に準じた無線通信用の通信回路等の各種回路素子が実装された回路基板（図示せず）等も収納されている。
【００１７】
因みに、以下の説明では、装置筐体１０の長手方向を、装置長手方向とも呼ぶ。また、以下の説明では、装置筐体１０において装置長手方向の一端を、装置一端とも呼び、当該装置長手方向の他端を、装置他端とも呼ぶ。
【００１８】
さらに、以下の説明では、装置筐体１０において装置一端側の端面１０Ａを、装置一端面１０Ａとも呼び、装置他端側の端面１０Ｂを、装置他端面１０Ｂとも呼ぶ。
【００１９】
さらに、以下の説明では、装置筐体１０において装置長手方向と平行な一対の側面１０Ｃ及び１０Ｄのうち一方の側面１０Ｃを、装置一側面１０Ｃとも呼び、他方の側面１０Ｄを、装置他側面１０Ｄとも呼ぶ。
【００２０】
さらに、以下の説明では、装置筐体１０の正面（すなわち、装置一端面１０Ａ及び装置他端面１０Ｂと装置一側面１０Ｃ及び装置他側面１０Ｄとに接する一方の面）１０Ｅを、装置正面１０Ｅとも呼ぶ。
【００２１】
さらに、以下の説明では、装置筐体１０の背面（すなわち、装置一端面１０Ａ及び装置他端面１０Ｂと装置一側面１０Ｃ及び装置他側面１０Ｄとに接する他方の面）１０Ｆを、装置背面１０Ｆとも呼ぶ。
【００２２】
そして、以下の説明では、装置一端面１０Ｃの向く方向を、装置長手一方向とも呼び、装置他端面１０Ｄの向く方向を、装置長手他方向とも呼ぶ。ただし、以下の説明では、これら装置長手一方向と装置長手他方向とを、特には区別する必要のない場合、これらをまとめて上述した装置長手方向とも呼ぶ。
【００２３】
また、以下の説明では、装置筐体１０において装置一側面１０Ｃ及び装置他側面１０Ｄ間を、装置筐体１０の幅とも呼ぶ。
【００２４】
そして、以下の説明では、装置一側面１０Ｃの向く方向を、装置幅一方向とも呼び、装置他側面１０Ｄの向く方向を、装置幅他方向とも呼ぶ。
【００２５】
ただし、以下の説明では、これら装置幅一方向と装置幅他方向とを、特には区別する必要のない場合、これらをまとめて装置幅方向とも呼ぶ。因みに、装置幅方向は、上述の装置長手方向と直交する方向である。
【００２６】
さらに、以下の説明では、装置筐体１０において装置正面３０Ｅ及び装置背面１０Ｆ間を、装置筐体１０の厚みとも呼ぶ。
【００２７】
そして、以下の説明では、装置正面１０Ｅの向く方向を、装置厚み一方向とも呼び、装置背面１０Ｆの向く方向を、装置厚み他方向とも呼ぶ。
【００２８】
ただし、以下の説明では、これら装置厚み一方向と装置厚み他方向とを、特には区別する必要のない場合、これらをまとめて装置厚み方向とも呼ぶ。因みに、装置厚み方向は、上述の装置長手方向と装置幅方向との何れとも直交する方向である。
【００２９】
装置筐体１０の装置正面１０Ｅには、装置一端寄りにディスプレイ１１が配置されると共に、装置他端寄りに、音楽のような音声の音声データに対する再生開始や再生停止等の各種命令を入力するための各種操作ボタン１２乃至１４が配置されている。
【００３０】
また装置筐体１０の装置他端面１０Ｂには、例えば、ＵＳＢ（Universal  Serial  Bus）規格の外部コネクタ１５が設けられている。
【００３１】
これにより携帯型再生装置２は、その外部コネクタ１５を介して外部のパーソナルコンピュータ等の外部機器（図示せず）と有線接続し得るようになされている。
【００３２】
さらに装置筐体１０の装置他端面１０Ｂには、イヤホンジャック１６が設けられている。これにより携帯型再生装置２は、そのイヤホンジャック１６を介して、上述のイヤホン装置３とは異なる他のステレオイヤホン（図示せず）を有線接続することができる。
【００３３】
さらに装置筐体１０の装置一側面１０Ｃには、音量調整ボタン１７、イヤホン装置３と無線通信するための無線通信ボタン１８、装置正面１０Ｅの各種操作ボタン１２乃至１４の操作を無効にするためのホールドスイッチ１９が配置されている。
【００３４】
そして携帯型再生装置２は、外部コネクタ１５を介して有線接続された外部機器からバッテリを充電するための充電用電力が供給されると、その充電用電力を、外部コネクタ１５を介して内部に取り込んでバッテリに供給する。これにより携帯型再生装置２は、充電用電力によりバッテリを充電することができる。
【００３５】
また携帯型再生装置２は、外部機器から音声データが音声のタイトルやアーティスト名等の属性情報と共に転送されると、その音声データを属性情報と共に、外部コネクタ１５を介して内部に取り込み半導体メモリに記憶する。
【００３６】
また携帯型再生装置２は、外部機器が接続されてはいない場合、装置正面１０Ｅの操作ボタン１２乃至１４や、装置一側面１０Ｃの音量調整ボタン１７、無線通信ボタン１８及びホールドスイッチ１９に対するユーザ操作に応じて各種処理を実行する。
【００３７】
これにより携帯型再生装置２は、ＣＰＵにより半導体メモリから音声データを読み出して再生処理を施す。この際、携帯型再生装置２は、他のステレオイヤホンが有線接続されており、またイヤホン装置３と無線通信してはいないと、ＣＰＵにより、その再生処理によって得られる音声信号を、イヤホンジャック１６を介してステレオイヤホンに送出する。
【００３８】
これにより携帯型再生装置２は、ステレオイヤホンを介して音声信号に基づく音楽のような音声を出力してユーザに聴かせることができる。
【００３９】
また携帯型再生装置２は、このとき無線通信ボタン１８がユーザ操作されると、ＣＰＵにより通信回路を介してイヤホン装置３と無線通信して、再生処理によって得られる音声データをイヤホン装置３に送信する。
【００４０】
これにより携帯型再生装置２は、イヤホン装置３に対し、その音声データに基づく音楽のような音声を出力させてユーザに聴かせることができる。
【００４１】
因みに、携帯型再生装置２は、このような音声データの再生処理中に音量調整ボタン１７がユーザ操作されると、これに応じてＣＰＵにより音声データに基づく音声の音量を調整することができる。
【００４２】
また携帯型再生装置２は、このような音声データの再生処理中には、ＣＰＵにより当該再生処理中の音声データに基づく音声の属性情報をディスプレイ１１に表示することもできる。
【００４３】
イヤホン装置３は、一対のステレオ用のイヤホン２５及び２６のうち一方の右チャンネル用のイヤホン２５を有する右耳装着部２７と、他方の左チャンネル用のイヤホン２６を有する左耳装着部２８とがイヤホンケーブル２９を介して接続されている。
【００４４】
因みに、以下の説明では、右チャンネル用のイヤホン２５を、右イヤホン２５とも呼び、左チャンネル用のイヤホン２６を、左イヤホン２６とも呼ぶ。
【００４５】
イヤホン装置３において右耳装着部２７は、長箱状の筐体（以下、これを右筐体とも呼ぶ）３０を有している。そして右筐体３０には、その長手方向（以下、これを右筐体長手方向とも呼ぶ）と平行な一対の側面３０Ａ及び３０Ｂのうち一方の側面３０Ａが向く方向に右イヤホン２５が突出するように設けられている。
【００４６】
またイヤホン装置３において左耳装着部２８も、長箱状の筐体（以下、これを左筐体とも呼ぶ）３１を有している。そして左筐体３１には、その長手方向（以下、これを左筐体長手方向とも呼ぶ）と平行な一対の側面３１Ａ及び３１Ｂのうち一方の側面３１Ａが向く方向に左イヤホン２６が突出するように設けられている。
【００４７】
因みに、以下の説明では、右筐体３０において一方の側面３０Ａを、右筐体一側面３０Ａとも呼び、他方の側面３０Ｂを、右筐体他側面３０Ｂとも呼ぶ。
【００４８】
また、以下の説明では、右筐体３０において右筐体長手方向の一端側の端面３０Ｃを、右筐体一端面３０Ｃとも呼び、当該右筐体長手方向の他端側の端面３０Ｄを、右筐体他端面３０Ｄとも呼ぶ。
【００４９】
さらに、以下の説明では、右筐体３０において右筐体長手方向の一端を、右筐体一端とも呼び、当該右筐体長手方向の他端を、右筐体他端とも呼ぶ。
【００５０】
さらに、以下の説明では、右筐体３０の表面（すなわち、右筐体一側面３０Ａ及び右筐体他側面３０Ｂと右筐体一端面３０Ｃ及び右筐体他端面３０Ｄとに接する一方の面）３０Ｅを、右筐体表面３０Ｅとも呼ぶ。
【００５１】
さらに、以下の説明では、右筐体３０の裏面（すなわち、右筐体一側面３０Ａ及び右筐体他側面３０Ｂと右筐体一端面３０Ｃ及び右筐体他端面３０Ｄとに接する他方の面）３０Ｆを、右筐体裏面３０Ｆとも呼ぶ。
【００５２】
そして、以下の説明では、右筐体一端面３０Ｃの向く方向を、右筐体長手一方向とも呼び、右筐体他端面３０Ｄの向く方向を、右筐体長手他方向とも呼ぶ。ただし、以下の説明では、これら右筐体長手一方向と右筐体長手他方向とを、特には区別する必要のない場合、これらをまとめて上述した右筐体長手方向とも呼ぶ。
【００５３】
また、以下の説明では、右筐体３０において右筐体一側面３０Ａ及び右筐体他側面３０Ｂ間を、右筐体３０の幅とも呼ぶ。
【００５４】
そして、以下の説明では、右筐体一側面３０Ａの向く方向を、右筐体幅一方向とも呼び、右筐体他側面３０Ｂの向く方向を、右筐体幅他方向とも呼ぶ。
【００５５】
ただし、以下の説明では、これら右筐体幅一方向と右筐体幅他方向とを、特には区別する必要のない場合、これらをまとめて右筐体幅方向とも呼ぶ。因みに、右筐体幅方向は、上述の右筐体長手方向と直交する方向である。
【００５６】
さらに、以下の説明では、右筐体３０において右筐体表面３０Ｅ及び右筐体裏面３０Ｆ間を、右筐体３０の厚みとも呼ぶ。
【００５７】
そして、以下の説明では、右筐体表面３０Ｅの向く方向を、右筐体厚み一方向とも呼び、右筐体裏面３０Ｆの向く方向を、右筐体厚み他方向とも呼ぶ。
【００５８】
ただし、以下の説明では、これら右筐体厚み一方向と右筐体厚み他方向とを、特には区別する必要のない場合、これらをまとめて右筐体厚み方向とも呼ぶ。因みに、右筐体厚み方向は、上述の右筐体長手方向と右筐体幅方向との何れとも直交する方向である。
【００５９】
これに加えて、以下の説明では、左筐体３１において一方の側面３１Ａを、左筐体一側面３１Ａとも呼び、他方の側面３１Ｂを、左筐体他側面３１Ｂとも呼ぶ。
【００６０】
また、以下の説明では、左筐体３１において左筐体長手方向の一端側の端面３１Ｃを、左筐体一端面３１Ｃとも呼び、当該左筐体長手方向の他端側の端面３１Ｄを、左筐体他端面３１Ｄとも呼ぶ。
【００６１】
さらに、以下の説明では、左筐体３１において左筐体長手方向の一端を、左筐体一端とも呼び、当該左筐体長手方向の他端を、左筐体他端とも呼ぶ。
【００６２】
さらに、以下の説明では、左筐体３１の表面（すなわち、左筐体一側面３１Ａ及び左筐体他側面３１Ｂと左筐体一端面３１Ｃ及び左筐体他端面３１Ｄとに接する一方の面）３１Ｅを、左筐体表面３１Ｅとも呼ぶ。
【００６３】
さらに、以下の説明では、左筐体３１の裏面（すなわち、左筐体一側面３１Ａ及び左筐体他側面３１Ｂと左筐体一端面３１Ｃ及び左筐体他端面３１Ｄとに接する他方の面）３１Ｆを、左筐体裏面３１Ｆとも呼ぶ。
【００６４】
そして、以下の説明では、左筐体一端面３１Ｃの向く方向を、左筐体長手一方向とも呼び、左筐体他端面３１Ｄの向く方向を、左筐体長手他方向とも呼ぶ。ただし、以下の説明では、これら左筐体長手一方向と左筐体長手他方向とを、特には区別する必要のない場合、これらをまとめて上述した左筐体長手方向とも呼ぶ。
【００６５】
また、以下の説明では、左筐体３１において左筐体一側面３１Ａ及び左筐体他側面３１Ｂ間を、左筐体３１の幅とも呼ぶ。
【００６６】
そして、以下の説明では、左筐体一側面３１Ａの向く方向を、左筐体幅一方向とも呼び、左筐体他側面３１Ｂの向く方向を、左筐体幅他方向とも呼ぶ。
【００６７】
ただし、以下の説明では、これら左筐体幅一方向と左筐体幅他方向とを、特には区別する必要のない場合、これらをまとめて左筐体幅方向とも呼ぶ。因みに、左筐体幅方向は、上述の左筐体長手方向と直交する方向である。
【００６８】
さらに、以下の説明では、左筐体３１において左筐体表面３１Ｅ及び左筐体裏面３１Ｆ間を、左筐体３１の厚みとも呼ぶ。
【００６９】
そして、以下の説明では、左筐体表面３１Ｅの向く方向を、左筐体厚み一方向とも呼び、左筐体裏面３１Ｆの向く方向を、左筐体厚み他方向とも呼ぶ。
【００７０】
ただし、以下の説明では、これら左筐体厚み一方向と左筐体厚み他方向とを、特には区別する必要のない場合、これらをまとめて左筐体厚み方向とも呼ぶ。因みに、左筐体厚み方向は、上述の左筐体長手方向と左筐体幅方向との何れとも直交する方向である。
【００７１】
図２に示すように、具体的に右耳装着部２７において右筐体３０は、右筐体裏面３０Ｆ側の下半分となる筐体箱部３５を有している。
【００７２】
右筐体３０は、筐体箱部３５に、右筐体一側面３０Ａ及び右筐体他側面３０Ｂと右筐体一端面３０Ｃ及び右筐体他端面３０Ｄとの上側半分となる四角い筐体枠部３６と、右筐体表面３０Ｅとなる長方形状の筐体蓋部３７とを組み合わせるようにして形成されている。
【００７３】
そして右筐体３０内には、例えば、筐体枠部３６内に位置するように、イヤホン装置３全体を制御する制御回路や、上述の近距離無線通信規格に準じた無線通信用の通信回路等の各種回路素子が実装された回路基板３８が収納されている。
【００７４】
また筐体箱部３５には、右筐体裏面３０Ｆの右筐体一端側において右筐体他側面３０Ｂ寄りに、右筐体長手方向と平行な切欠部３５Ａが形成され、当該切欠部３５Ａ内の右筐体他端側の内壁に孔部（図示せず）が穿設されている。
【００７５】
さらに筐体箱部３５は、切欠部３５Ａ内の孔部に対し、絶縁樹脂により根元部分から先端部にかけて外径が徐々に細くなるように形成された保護チューブ３９の当該根元部分が取り付けられている。
【００７６】
これにより筐体箱部３５は、切欠部３５Ａ内に保護チューブ３９を配置するようにして、当該保護チューブ３９の先端部分を、その切欠部３５Ａ内から右筐体長手一方向へ突出させている。
【００７７】
そして保護チューブ３９には、イヤホンケーブル２９の一端部が当該保護チューブ３９の先端から挿入されて根元から引き出されている。これによりイヤホンケーブル２９は、一端部が右筐体３０の内部に引き込まれている。
【００７８】
ところで、イヤホンケーブル２９は、複数の導電線が、弾性を有する絶縁樹脂でなる外被によって被覆されて形成されている。そしてイヤホンケーブル２９は、右筐体３０内に引き込まれた一端部において、内部の複数の導電線が回路基板３８に電気的に接続されている。
【００７９】
また右イヤホン２５は、鉢状の収納ケース４０Ａの開口を丸皿状のケース蓋４０Ｂで閉塞するようにして形成されるドライバ収納部４０を有している。
【００８０】
そして右筐体３０には、ドライバ収納部４０がケース蓋４０Ｂを右筐体表面３０Ｅと平行にし、収納ケース４０Ａの開口側とケース蓋４０Ｂとの半円部分を右筐体一側面３０Ａ及び右筐体裏面３０Ｆの右筐体他端側から筐体箱部３５内に収納して設けられている。
【００８１】
これによりドライバ収納部４０は、収納ケース４０Ａのドーム状の底部４０ＡＸ全体を右筐体裏面３０Ｆよりも右筐体厚み他方向へ突出させている。
【００８２】
またドライバ収納部４０は、収納ケース４０Ａのほほ半分とケース蓋４０Ｂの半円部分とを右筐体一側面３０Ａよりも右筐体幅一方向へ突出させている。
【００８３】
さらに右イヤホン２５は、ドライバ収納部４０のケース蓋４０Ｂに、円筒状の音導管４１が、当該音導管４１の中心軸を右筐体幅方向と平行にして設けられている。
【００８４】
この場合、音導管４１は、根元部分の斜めに切断されたような開口部がケース蓋４０Ｂの中心部から縁部に渡って接合され、先端部分をドライバ収納部４０よりも右筐体幅一方向へ突出させている。
【００８５】
そして音導管４１の内部空間は、ドライバ収納部４０のケース蓋４０Ｂに接合された根元部分を介して当該ドライバ収納部４０の内部空間と繋げられている。
【００８６】
また音導管４１は、シリコンゴムのような樹脂材により円筒状の取付部の一端に傘状の外耳道挿入部４２Ａが設けられて形成されたイヤピース４２の中心を貫く（取付部内から外耳道挿入部４２Ａの先端までを貫く）孔部に挿入されている。
【００８７】
すなわち、イヤピース４２は、音導管４１に対し、互いの中心軸を一致させて当該音導管４１の先端を外耳道挿入部４２Ａの先端の開口内に露出させるように取り付けられている。
【００８８】
また右イヤホン２５は、ドライバ収納部４０内に円形の振動板や当該振動板を振動させるための駆動回路等を有するイヤホンドライバ４３が、当該振動板の一面を右筐体厚み一方向へ向け、かつ振動板の他面を右筐体厚み他方向へ向けて収納されている。
【００８９】
すなわち、右イヤホン２５には、イヤホンドライバ４３の振動板が、当該振動板の中心軸をイヤピース４２の中心軸に対して垂直にして設けられている。
【００９０】
そして右イヤホン２５は、イヤホンドライバ４３の駆動回路が右筐体３０内の回路基板３８に電気的に接続されている。
【００９１】
一方、図３に示すように、左耳装着部２８は、例えば、左筐体表面３１Ｅを右筐体表面３０Ｅと共に同一方向へ向けて左筐体他側面３１Ｂを右筐体他側面３０Ｂと対向させたときに、右耳装着部２７と面対称な外観を有するように形成されている。
【００９２】
すなわち、図４に示すように、左耳装着部２８において左筐体３１は、左筐体裏面３１Ｆ側の下半分となる筐体箱部４５を有している。
【００９３】
そして左筐体３１は、右筐体３０と同様に、筐体箱部４５に対し四角い筐体枠部４６と長方形状の筐体蓋部４７とを組み合わせるようにして形成されている。
【００９４】
また左筐体３１内には、例えば、筐体枠部４６内に位置するように、イヤホン装置３を駆動するための電力を供給可能なバッテリ４８が収納されている。
【００９５】
さらに筐体箱部４５には、左筐体裏面３１Ｆの左筐体一端側において左筐体他側面３１Ｂ寄りに、左筐体長手方向と平行な切欠部４５Ａが形成され、当該切欠部４５Ａ内の左筐体他端側の内壁に孔部（図示せず）が穿設されている。
【００９６】
さらに筐体箱部４５は、切欠部４５Ａ内の孔部に対し、上述した保護チューブ３９と同様に形成された保護チューブ４９の根元部分が取り付けられている。
【００９７】
これにより筐体箱部４５は、切欠部４５Ａ内に保護チューブ４９を配置するようにして、当該保護チューブ４９の先端部分を、その切欠部４５Ａ内から左筐体長手一方向へ突出させている。
【００９８】
そして保護チューブ４９には、イヤホンケーブル２９の他端部が当該保護チューブ４９の先端から挿入されて根元から引き出されている。これによりイヤホンケーブル２９は、他端部が左筐体３１の内部に引き込まれている。
【００９９】
そしてイヤホンケーブル２９は、左筐体３１内に引き込まれた他端部において、内部の複数の導電線がバッテリ４８に電気的に接続されている。
【０１００】
また左イヤホン２６は、右イヤホン２５と同様に、鉢状の収納ケース５０Ａの開口を丸皿状のケース蓋５０Ｂで閉塞するようにして形成されるドライバ収納部５０を有している。
【０１０１】
そして左筐体３１には、ドライバ収納部５０がケース蓋５０Ｂを左筐体表面３１Ｅと平行にし、収納ケース５０Ａの開口側とケース蓋５０Ｂとの半円部分を左筐体一側面３１Ａ及び左筐体裏面３１Ｆの左筐体他端側から筐体箱部４５内に収納して設けられている。
【０１０２】
これによりドライバ収納部５０は、収納ケース５０Ａのドーム状の底部５０ＡＸ全体を左筐体裏面３１Ｆよりも左筐体厚み他方向へ突出させている。
【０１０３】
またドライバ収納部５０は、収納ケース５０Ａのほほ半分とケース蓋５０Ｂの半円部分とを左筐体一側面３１Ａよりも左筐体幅一方向へ突出させている。
【０１０４】
さらに左イヤホン２６は、ドライバ収納部５０のケース蓋５０Ｂに、円筒状の音導管５１が、当該音導管５１の中心軸を左筐体幅方向と平行にして設けられている。
【０１０５】
この場合、音導管５１も、右イヤホン２５の場合と同様に、根元部分の斜めに切断されたような開口部がケース蓋５０Ｂの中心部から縁部に渡って接合され、先端部分をドライバ収納部５０よりも左筐体幅一方向へ突出させている。
【０１０６】
そして音導管５１の内部空間は、ドライバ収納部５０のケース蓋５０Ｂに接合された根元部分を介して当該ドライバ収納部５０の内部空間と繋げられている。
【０１０７】
また音導管５１は、右イヤホン２５のイヤピース４２と同様構成のイヤピース５２の中心を貫く（取付部内から外耳道挿入部５２Ａの先端までを貫く）孔部に挿入されている。
【０１０８】
すなわち、左イヤホン２６においても、イヤピース５２は、音導管５１に対し互いの中心軸を一致させて当該音導管５１の先端を外耳道挿入部５２Ａの先端の開口内に露出させるように取り付けられている。
【０１０９】
また左イヤホン２６は、ドライバ収納部５０内に円形の振動板や当該振動板を振動させるための駆動回路等を有するイヤホンドライバ５３が、当該振動板の一面を左筐体厚み一方向へ向け、かつ振動板の他面を左筐体厚み他方向へ向けて収納されている。
【０１１０】
すなわち、左イヤホン２６においても、イヤホンドライバ５３の振動板が、当該振動板の中心軸をイヤピース５２の中心軸に対して垂直にして設けられている。
【０１１１】
そして左イヤホン２６は、イヤホンドライバ５３の駆動回路がイヤホンケーブル２９内の複数の導電線に電気的に接続されている。
【０１１２】
これによりイヤホン装置３は、回路基板３８に対しイヤホンケーブル２９を介してバッテリ４８を電気的に接続して、当該バッテリ４８から供給される電力により回路基板３８の各種回路素子を動作させることができる。
【０１１３】
またイヤホン装置３は、その回路基板３８に対し、右イヤホン２５のイヤホンドライバ４３の駆動回路が電気的に接続され、かつイヤホンケーブル２９を介して左イヤホン２６のイヤホンドライバ５３の駆動回路も電気的に接続されている。
【０１１４】
かかる構成のイヤホン装置３は、イヤホンケーブル２９の長さが大人の頭の平均的な大きさに応じて適宜選定されている。
【０１１５】
よってイヤホン装置３は、右耳装着部２７と左耳装着部２８とをイヤホンケーブル２９を介して接続したまま引き離させて、右耳装着部２７をユーザの右耳まで持っていかせたときに、左耳装着部２８を左耳まで持っていかせることができる。
【０１１６】
これによりイヤホン装置３は、右耳の外耳道に右イヤホン２５のイヤピース４２を挿入させ、左耳の外耳道に左イヤホン２６のイヤピース５２を挿入させて右耳装着部２７及び左耳装着部２８を右耳及び左耳に装着（すなわち、保持）させることができる。
【０１１７】
この状態でイヤホン装置３は、携帯型再生装置２から送信された音声データを通信回路により受信すると、制御回路により、その音声データに含まれる右チャンネル用データに基づき右イヤホン２５においてイヤホンドライバ４３の駆動回路を駆動制御する。
【０１１８】
これによりイヤホン装置３は、右イヤホン２５のイヤホンドライバ４３において振動板を振動させて右チャンネル用の音声を発生させる。
【０１１９】
そしてイヤホン装置３は、右イヤホン２５において、その音声をドライバ収納部４０の内部空間内から音導管４１の内部空間を介して当該音導管４１の先端から外部に出力させる。
【０１２０】
またイヤホン装置３は、このとき制御回路により、音声データに含まれる左チャンネル用データに基づき左イヤホン２６においてイヤホンドライバ５３の駆動回路を駆動制御する。
【０１２１】
これによりイヤホン装置３は、左イヤホン２６のイヤホンドライバ５３において振動板を振動させて左チャンネル用の音声を発生させる。
【０１２２】
そしてイヤホン装置３は、左イヤホン２６において、その音声をドライバ収納部５０の内部空間内から音導管５１の内部空間を介して当該音導管５１の先端から外部に出力させる。
【０１２３】
このようにしてイヤホン装置３は、ユーザに右イヤホン２５及び左イヤホン２６を介してステレオ音楽のような音声を聴かせることができる。
【０１２４】
図５及び図６に示すように、かかる構成に加えて携帯型再生装置２は、装置筐体１０の装置背面１０Ｆの装置一端部に、イヤホン装着部５９の略偏平四角形状の装着部筐体６０が、その下面を当該装置背面１０Ｆに当接させて固定されている。
【０１２５】
因みに、以下の説明では、装着部筐体６０において、一対の平行な外面６０ＡＸ及び６０ＢＸのうち一方の外面６０ＡＸを、装着部一側面６０ＡＸとも呼び、他方の外面６０ＢＸを、装着部他側面６０ＢＸとも呼ぶ。
【０１２６】
また、以下の説明では、装着部筐体６０において装着部一側面６０ＡＸ及び装着部他側面６０ＢＸ間を、装着部筐体６０の幅とも呼ぶ。
【０１２７】
そして、以下の説明では、装着部一側面６０ＡＸの向く方向を、装着部幅一方向とも呼び、装着部他側面６０ＢＸの向く方向を、装着部幅他方向とも呼ぶ。
【０１２８】
ただし、以下の説明では、これら装着部幅一方向と装着部幅他方向とを、特には区別する必要のない場合、これらをまとめて装着部幅方向とも呼ぶ。
【０１２９】
そして装着部筐体６０の幅は、装置筐体１０の幅とほぼ等しく選定されている。よって装着部筐体６０は、装置背面１０Ｆに対し、装着部幅方向を装置幅方向と平行にし、かつ装着部一側面６０ＡＸ及び装着部他側面６０ＢＸを装置一側面１０Ｃ及び装置他側面１０Ｄに揃えるようにして設けられている。
【０１３０】
ところで、以下の説明では、装着部筐体６０において、装置長手方向の一端を、装着部一端とも呼び、装置長手方向の他端を、装着部他端とも呼ぶ。
【０１３１】
そして、以下の説明では、装着部幅方向と平行な一対の外面６０ＣＸ及び６０ＤＸのうち、装着部一端側の一方の外面６０ＣＸを、装着部一端面６０ＣＸとも呼び、装着部他端側の他方の外面６０ＤＸを、装着部他端面６０ＤＸとも呼ぶ。
【０１３２】
また装着部筐体６０は、上面の中央部分に略Ｔ字状の凹部でなる筐体保持部６０Ｅが、装着部幅方向と平行な横溝部分を装着部一端寄りに位置させ、当該横溝部分の中央に繋がる、装置長手方向と平行な縦溝部分を装着部他端側へ伸ばすように形成されている。
【０１３３】
因みに、以下の説明では、装着部筐体６０において筐体保持部６０Ｅを囲む縁部の中で、装着部一端側の、装着部幅方向と平行な部分６０Ｃを、一端側縁部６０Ｃとも呼び、装着部他端側の、装着部幅方向と平行な部分６０Ｄを、他端側縁部６０Ｄとも呼ぶ。
【０１３４】
また、以下の説明では、装着部筐体６０の縁部において、一端側縁部６０Ｃ及び他端側縁部６０Ｄ間の、装着部幅一方向側の部分６０Ａ（すなわち、装置長手方向と平行な一方の部分６０Ａでもある）を、幅一方向縁部６０Ａとも呼ぶ。
【０１３５】
さらに、以下の説明では、装着部筐体６０の縁部において、一端側縁部６０Ｃ及び他端側縁部６０Ｄ間の、装着部幅他方向側の部分６０Ｂ（すなわち、装置長手方向と平行な他方の部分６０Ｂでもある）を、幅他方向縁部６０Ｂとも呼ぶ。
【０１３６】
ところで、幅一方向縁部６０Ａは、筐体保持部６０Ｅの横溝部分が装着部一側面６０ＡＸ側に迫り出していることにより、装着部一端寄りの当該横溝部分に接する部分の幅が狭く、装着部他端寄りの縦溝部分に接する部分の幅が広く形成されている。
【０１３７】
また幅他方向縁部６０Ｂは、筐体保持部６０Ｅの横溝部分が装着部他側面６０ＢＸ側に迫り出していることにより、装着部他端寄りの当該横溝部分に接する部分の幅が狭く、装着部他端寄りの縦溝部分に接する部分の幅が広く形成されている。
【０１３８】
因みに、以下の説明では、幅一方向縁部６０Ａ及び幅他方向縁部６０Ｂの幅の狭い部分を、幅狭部分とも呼び、幅の広い部分を幅広部分とも呼ぶ。
【０１３９】
そして筐体保持部６０Ｅは、一端側縁部６０Ｃの内面６０ＣＹと、他端側縁部６０Ｄの内面６０ＤＹとの間の長さが、イヤホン装置３の右筐体３０の右筐体長手方向の長さ（また左筐体３１の左筐体長手方向の長さ）とほぼ等しく選定されている。
【０１４０】
また筐体保持部６０Ｅは、幅一方向縁部６０Ａの幅広部分の内面６０ＡＹと、幅他方向縁部６０Ｂの幅広部分の内面６０ＢＹとの間の長さ（すなわち、縦溝部分の幅）が、右筐体３０の幅と、左筐体３１の幅とを足し合わせた長さとほぼ等しく選定されている。
【０１４１】
よって図７及び図８に示すように、装着部筐体６０は、右筐体３０及び左筐体３１を、右筐体他側面３０Ｂ及び左筐体他側面３１Ｂを接触させて一列に並べた装着姿勢で右筐体裏面３０Ｆ及び左筐体裏面３１Ｆ側から筐体保持部６０Ｅ内に装填させることができる。
【０１４２】
ところで、筐体保持部６０Ｅの底面６０ＥＸ（図５及び図６）には、横溝部分の一方の端寄りに、右イヤホン２５のドライバ収納部４０の底部４０ＡＸ（収納ケース４０Ａのドーム状の底部４０ＡＸ）の形状に応じた鉢底状の穴部６０ＥＹが形成されている。
【０１４３】
これにより装着部筐体６０（図７及び図８）は、筐体保持部６０Ｅ内に右筐体３０及び左筐体３１が装填されたとき、底面６０ＥＸの穴部６０ＥＹ内にドライバ収納部４０の底部４０ＡＸを入り込ませる。このようにして装着部筐体６０は、筐体保持部６０Ｅ内で右筐体３０を、右イヤホン２５の振動板の中心軸を装置背面１０Ｆに対して垂直にして状態で当該右筐体３０の装着位置に位置決めすることができる。
【０１４４】
また筐体保持部６０Ｅの底面６０ＥＸ（図５及び図６）には、横溝部分の他方の端寄りに、左イヤホン２６のドライバ収納部５０の底部５０ＡＸ（収納ケース５０Ａのドーム状の底部５０ＡＸ）の形状に応じた鉢底状の穴部６０ＥＺが形成されている。
【０１４５】
これにより装着部筐体６０（図７及び図８）は、筐体保持部６０Ｅ内に右筐体３０及び左筐体３１が装填されたとき、底面６０ＥＸの穴部６０ＥＺ内にドライバ収納部５０の底部５０ＡＸを入り込ませる。よって装着部筐体６０は、筐体保持部６０Ｅ内で左筐体３１も、左イヤホン２６の振動板の中心軸を装置背面１０Ｆに対して垂直にした状態で当該左筐体３１の装着位置に位置決めすることができる。
【０１４６】
さらに幅一方向縁部６０Ａ及び幅他方向縁部６０Ｂ（図５及び図６）は、それぞれ幅狭部分に幅広部分よりも厚みが薄くなるように凹部６０ＡＺ及び６０ＢＺが形成されている。
【０１４７】
従って装着部筐体６０（図７及び図８）は、筐体保持部６０Ｅ内に右筐体３０及び左筐体３１が装填されたとき、幅一方向縁部６０Ａの凹部６０ＡＺ内にイヤピース４２の外耳道挿入部４２Ａの裾部分を入り込ませる。
【０１４８】
これにより装着部筐体６０は、筐体保持部６０Ｅ内に右筐体３０が装填されている間、右イヤホン２５のイヤピース４２の外耳道挿入部４２Ａが幅一方向縁部６０Ａに押し付けられて変形することを防止している。
【０１４９】
また装着部筐体６０（図７及び図８）は、このとき幅他方向縁部６０Ｂの凹部６０ＢＺ内にイヤピース５２の外耳道挿入部５２Ａの裾部分を入り込ませる。
【０１５０】
これにより装着部筐体６０は、筐体保持部６０Ｅ内に左筐体３１が装填されている間、左イヤホン２６のイヤピース５２の外耳道挿入部５２Ａが幅他方向縁部６０Ａに押し付けられて変形することも防止している。
【０１５１】
これに加えて装着部筐体６０（図５乃至図７）は、一端側縁部６０Ｃの内面６０ＣＹにおいて、その中央よりも装着部幅一方向側と、装着部幅他方向側とにそれぞれ装着部他端側に突出する係合突起６０ＣＭ及び６０ＣＮが設けられている。
【０１５２】
また装着部筐体６０（図６）は、他端側縁部６０Ｄの内面６０ＤＹにおいて、その中央よりも装着部幅一方向側に、導電性の線材により形成された１つの接続端子６１が設けられている。
【０１５３】
さらに装着部筐体６０は、他端側縁部６０Ｄの内面６０ＤＹにおいて、その中央よりも装着部幅他方向側に、導電性の線材により形成された２つの接続端子６２及び６３が装着部幅方向に所定間隔で並べて設けられている。
【０１５４】
ここで、各接続端子６１乃至６３は、それぞれ同様に構成されている。また装着部筐体６０の他端側縁部６０Ｄについても、各接続端子６１乃至６３の設けられる部分がそれぞれ同様に構成されている。
【０１５５】
よって以下には、図９を用いて、各接続端子６１乃至６３のうち１つの接続端子６２の構成を代表して説明し、他の接続端子６１及び６３の構成については同様であるため説明を省略する。
【０１５６】
また装着部筐体６０の他端側縁部６０Ｄについても、１つの接続端子６２が設けられる部分の構成についてのみ説明し、他の接続端子６１及び６３が設けられる部分の構成については同様であるため省略する。
【０１５７】
図９に示すように、実際に接続端子６２は、導電性の線材の根元側が所定の折曲位置で直角に折り曲げられると共に、先端部６２Ａが根元側の折曲方向とは反対方向に三角形を描いて突出するように折り曲げられて形成されている。
【０１５８】
また装着部筐体６０において他端側縁部６０Ｄの内面６０ＤＹには、接続端子６２の配置位置に装置厚み方向と平行な溝部６０ＤＺが形成されると共に、その溝部６０ＤＺの下側に装置長手方向と平行な穴部６０ＤＶが穿設されている。
【０１５９】
そして接続端子６２は、根元部分６２Ｂが、他端側縁部６０Ｄの穴部６０ＤＶに挿入されて固定されている。これにより接続端子６２は、折曲位置よりも先端側を他端側縁部６０Ｄの溝部６０ＤＺの口に沿わせるように位置させて、三角形状の先端部６２Ａを装着部一端側に突き出させている。
【０１６０】
また接続端子６２は、弾性を有している。これにより接続端子６２は、先端部６２Ａが装着部他端側に押されると、折曲位置部分が変形して先端側を他端側縁部６０Ｄの溝部６０ＤＺ内に入り込ませるものの、先端側を溝部６０ＤＺ内から出させて全体を元の形状に戻すように作用する。
【０１６１】
一方、図１０に示すように、イヤホン装置３の左筐体３１は、左筐体他端面３１Ｄにおいて左筐体裏面３１Ｆ寄りの所定位置に、上述した装着部筐体６０の一方の係合突起６０ＣＮに対応する係合穴部３１ＤＸが設けられている。
【０１６２】
またイヤホン装置３の右筐体３０についても、特に図示はしないが左筐体３１と同様に右筐体他端面３０Ｄにおいて右筐体裏面３０Ｆ寄りの所定位置に、上述した装着部筐体６０の他方の係合突起６０ＣＭに対応する係合穴部が設けられている。
【０１６３】
さらにイヤホン装置３の左筐体３１（図３、図４、図７及び図１０）は、左筐体一端面３１Ｃにおいて左筐体裏面３１Ｆ寄りに、上述した装着部筐体６０の２つの接続端子６２及び６３に対応する２つの端子用凹部が並設されている。
【０１６４】
この場合、各端子用凹部は、それぞれ底面に導電性金属でなる充電端子６４及び６５が設けられている。そして各充電端子６４及び６５は、それぞれ左筐体３１内のバッテリに電気的に接続されている。
【０１６５】
さらにイヤホン装置３の右筐体３０（図２、図３及び図７）は、右筐体一端面３０Ｃにおいて右筐体裏面３０Ｆ寄りに、上述した装着部筐体６０の１つの接続端子６１に対応する１つの端子用凹部が設けられている。
【０１６６】
この場合、端子用凹部は、底面に導電性金属でなる外部端子６６が設けられている。そして外部端子６６は、右筐体３０内の回路基板３８に電気的に接続されている。
【０１６７】
装着部筐体６０（図１０）は、イヤホン装置３の装着時、まず、装填姿勢の右筐体３０及び左筐体３１の右筐体他端側及び左筐体他端側を筐体保持部６０Ｅ内の装着部一端側に押し込ませる。
【０１６８】
これにより装着部筐体６０は、筐体保持部６０Ｅの穴部６０ＥＹ及び６０ＥＺ内に、対応するドライバ収納部４０及び５０の底部４０ＡＸ及び５０ＡＸを導くように入り込ませる。
【０１６９】
よって装着部筐体６０は、筐体保持部６０Ｅに対して右筐体３０及び左筐体３１を各々の装着位置に位置決めしながら、右筐体３０及び左筐体３１の各係合穴部３１ＤＸに、対応する係合突起６０ＣＭ及びＣＮを挿入させて係合させる。
【０１７０】
そのうえで装着部筐体６０は、右筐体３０及び左筐体３１の右筐体一端側及び左筐体一端側が筐体保持部６０Ｅ内の装着部他端側に押し込まれると、右筐体一端面３０Ｃ及び左筐体一端面３１Ｃにより各接続端子６１乃至６３を装着部他端側に押させる。
【０１７１】
これにより装着部筐体６０は、各接続端子６１乃至６３を一旦は、対応する溝部６０ＤＺ内に退避させる。ただし装着部筐体６０は、この際、各接続端子６１乃至６３の弾性作用により、当該接続端子６１乃至６３の先端部６２Ａを、右筐体３０及び左筐体３１の右筐体一端面３０Ｃ及び左筐体一端面３１Ｃに押し付けるように付勢している。
【０１７２】
よって装着部筐体６０は、右筐体３０及び左筐体３１の右筐体一端側及び左筐体一端側が筐体保持部６０Ｅ内にさらに押し込まれると、各接続端子６１乃至６３の先端部６２Ａを、対応する端子用凹部内に入り込ませる。
【０１７３】
これにより装着部筐体６０は、各接続端子６１乃至６３を、対応する外部端子６６と充電端子６４及び６５とに押し付けさせて電気的に接続する。
【０１７４】
このようにして装着部筐体６０は、筐体保持部６０Ｅ内にイヤホン装置３の右筐体３０及び左筐体３１が装填されると、係合突起６０ＣＭ及び６０ＣＮと接続端子６１乃至６３とにより当該右筐体３０及び左筐体３１を装着位置に位置決めした状態で保持する。
【０１７５】
因みに、装着部筐体６０は、筐体保持部６０Ｅ内に右筐体３０及び左筐体３１をほぼ同時に装填させて保持することもできるし、当該筐体保持部６０Ｅ内に右筐体３０と左筐体３１とを別々のタイミングで装填させて保持することもできる。
【０１７６】
一方、装着部筐体６０は、イヤホン装置３の使用時、まず筐体保持部６０Ｅ内から右筐体３０及び左筐体３１の右筐体一端側及び左筐体一端側が持ち上げられると、各端子用凹部内から、対応する接続端子６１乃至６３の先端部６２Ａを出させる。
【０１７７】
すなわち、装着部筐体６０は、右筐体３０及び左筐体３１の右筐体一端面３０Ｃ及び左筐体一端面３１Ｃにより各接続端子６１乃至６３を装着部他端側に押させて、これら各接続端子６１乃至６３を一旦は、対応する溝部６０ＤＺ内に退避させる。
【０１７８】
そして装着部筐体６０は、右筐体３０及び左筐体３１の右筐体一端側及び左筐体一端側がさらに持ち上げられると、右筐体３０及び左筐体３１の右筐体一端面３０Ｃ及び左筐体一端面３１Ｃから各接続端子６１乃至６３を完全に離隔させる。
【０１７９】
そのうえで装着部筐体６０は、筐体保持部６０Ｅ内から右筐体３０及び左筐体３１の右筐体他端側及び左筐体他端側が引き抜かれると、各係合突起６０ＣＭ及びＣＮから、右筐体３０及び左筐体３１の対応する係合穴部３１ＤＸを外させる。
【０１８０】
このようにして装着部筐体６０は、筐体保持部６０Ｅ内に保持していたイヤホン装置３の右筐体３０及び左筐体３１を、当該筐体保持部６０Ｅ内から取り出させることができる。
【０１８１】
因みに、装着部筐体６０は、筐体保持部６０Ｅ内から右筐体３０及び左筐体３１をほぼ同時に取り出させることもできるし、当該筐体保持部６０Ｅ内から右筐体３０と左筐体３１とを別々のタイミングで取り出させることもできる。
【０１８２】
ところで装着部筐体６０（図５及び図６）は、他端側縁部６０Ｄの中央部に、その両端部よりも厚みが薄くなるように凹部６０ＤＷが形成されている。
【０１８３】
よって装着部筐体６０（図８）は、筐体保持部６０Ｅ内に右筐体３０及び左筐体３１を保持している間、他端側縁部６０Ｄの凹部６０ＤＷ内に保護チューブ３９及び４９の先端部分とイヤホンケーブル２９の一端部及び他端部とを入り込ませる。
【０１８４】
これにより装着部筐体６０は、筐体保持部６０Ｅ内に右筐体３０及び左筐体３１を保持している間、保護チューブ３９及び４９の先端部分とイヤホンケーブル２９の一端部及び他端部とが他端側縁部６０Ｄに無理に押し付けられることを防止している。
【０１８５】
すなわち、装着部筐体６０は、保護チューブ３９及び４９の先端部分とイヤホンケーブル２９の一端部及び他端部とが他端側縁部６０Ｄへの押し付けにより無理に折り曲げられて破損や断線することを防止している。
【０１８６】
また装着部筐体６０（図５乃至図７、図９及び図１０）の外面（装着部一端面６０ＣＸ、装着部一側面６０ＡＸ、装着部他端面６０ＤＸ及び装着部他側面６０ＢＸ）には、下面６０Ｆ側に、一周に渡って巻取用切欠部６０Ｇが形成されている。
【０１８７】
巻取用切欠部６０Ｇは、装置筐体１０の装置背面１０Ｆから装置厚み他方向への高さが、例えば、イヤホンケーブル２９の直径の２倍の長さとほぼ等しくなるように選定されている。
【０１８８】
これにより図８及び図１１に示すように、装着部筐体６０は、筐体保持部６０Ｅ内に右筐体３０及び左筐体３１を保持している間、イヤホンケーブル２９の中央よりも一端側と他端側とを束ねた状態で巻取用切欠部６０Ｇに巻かせることができる。
【０１８９】
また装着部筐体６０（図５乃至図８）は、イヤホンケーブル２９が束ねられて左回りで巻取用切欠部６０Ｇに巻かれたときに、その折曲部分が到達する例えば、装着部一端面６０ＣＸの一方の角部に、略Ｌ字状の保持用切欠部６０ＣＰが形成されている。
【０１９０】
因みに、以下の説明では、イヤホンケーブル２９の中央よりも一端側と他端側とを束ねるために、当該イヤホンケーブル２９において折り曲げられた中央の折曲部分を、ケーブル折曲部とも呼ぶ。
【０１９１】
さらに装着部筐体６０は、イヤホンケーブル２９が束ねられて右回りで巻取用切欠部６０Ｇに巻かれたときに、ケーブル折曲部が到達する例えば、装着部一端面６０ＣＸの他方の角部にも、略Ｌ字状の保持用切欠部６０ＣＱが形成されている。
【０１９２】
これにより装着部筐体６０は、イヤホン装置３の装着時、イヤホンケーブル２９が束ねられて巻取用切欠部６０Ｇに左回りで巻かれた場合、一方の保持用切欠部６０ＣＰ内にケーブル折曲部を押し込ませて保持することができる。
【０１９３】
また装着部筐体６０は、イヤホン装置３の装着時、イヤホンケーブル２９が束ねられて巻取用切欠部６０Ｇに右回りで巻かれた場合、他方の保持用切欠部６０ＣＱ内にケーブル折曲部を押し込ませて保持することができる。
【０１９４】
このようにして図１２に示すように、イヤホン装着部５９は、イヤホン装置３（すなわち、右耳装着部２７及び左耳装着部２８並びにイヤホンケーブル２９）を装着させて、当該イヤホン装置３を携帯型再生装置２と一体化させることができる。
【０１９５】
またイヤホン装着部５９は、この際、イヤホン装置３の右筐体３０及び左筐体３１を、右筐体他側面３０Ｂ及び左筐体他側面３１Ｂを接触させて一列に並べた装着姿勢で保持している。
【０１９６】
このためイヤホン装着部５９は、イヤホン装置３の右耳装着部２７及び左耳装着部２８を離して別々の位置に装着するような場合に比べて、当該右耳装着部２７及び左耳装着部２８を、大幅に小さい装着スペースで装着し得るようになされている。
【０１９７】
さらにイヤホン装着部５９は、この際、装着部一側面６０ＡＸの外側に右イヤホン２５のイヤピース４２を突出させると共に、装着部他側面６０ＢＸの外側に左イヤホン２６のイヤピース５２を突出させている。
【０１９８】
このためイヤホン装着部５９は、右筐体３０及び左筐体３１を一列に並べた装着姿勢で右耳装着部２７及び左耳装着部２８を装着するものの、その装着に要する装着スペースの、装置幅方向の長さを極力短くすることができる。
【０１９９】
よってイヤホン装着部５９は、右筐体３０及び左筐体３１を装着姿勢にしたときの一方及び他方のイヤピース４２及び５２の先端間の長さより、装置筐体１０の幅が短くても、その携帯型再生装置２をイヤホン装置３と容易に一体化させることができる。
【０２００】
ところで装着部筐体６０（図１０）は、筐体保持部６０Ｅの底面６０ＥＸと当該装着部筐体６０の下面６０Ｆとの間に、基板収納室６０Ｈが設けられている。そして基板収納室６０Ｈには、ＣＰＵや充電回路等の回路素子が実装された回路基板７０が収納されている。
【０２０１】
また回路基板７０には、各接続端子６１乃至６３の根元部分６２Ｂがそれぞれ電気的に接続されている。さらに回路基板７０は、装着部筐体６０の下面６０Ｆの所定位置に設けられた外部端子７１と、携帯型再生装置２の装置背面１０Ｆに設けられた外部端子７２とを順次介して当該携帯型再生装置２内の回路基板（図示せず）に電気的に接続されている。
【０２０２】
イヤホン装着部５９のＣＰＵは、接続端子６１乃至６３に対する外部端子６６と充電端子６４及び６５との接続の有無を検出し得るようになされている。
【０２０３】
そしてイヤホン装着部５９のＣＰＵは、各接続端子６１乃至６３に対して外部端子６６と充電端子６４及び６５とが接続されたことを検出すると、携帯型再生装置２のＣＰＵに対して当該携帯型再生装置２のバッテリから電力を供給するように要求する。
【０２０４】
その結果、イヤホン装着部５９のＣＰＵは、携帯型再生装置２から電力が供給されると、その電力を充電回路に取り込みながら、当該充電回路により、その供給された電力をもとにバッテリ４８の充電用電力を生成する。
【０２０５】
またイヤホン装置５９のＣＰＵは、充電回路から、その充電用電力を２つの接続端子６２及び６３と、イヤホン装置３の左筐体３１の充電端子６４及び６５とを順次介して当該左筐体３１内のバッテリ４８に供給する。
【０２０６】
このようにしてイヤホン装着部５９のＣＰＵは、左筐体３１内のバッテリ４８を充電用電力によって充電することができる。
【０２０７】
因みに、イヤホン装着部５９のＣＰＵは、各接続端子６１乃至６３の何れか１つ又は２つに対してのみ端子が接続されたことを検出したときには、２つの接続端子６２及び６３に対して充電用電力を供給しないようにする。
【０２０８】
これによりイヤホン装着部５９のＣＰＵは、何れか１つ又は２つの接続端子６１乃至６３に、イヤホン装置３とは異なる他の機器の端子が誤って接続されたとき、当該他の機器が電力の供給によって故障することを防止することができる。
【０２０９】
これに加えて装着部筐体６０（図５乃至図７）は、例えば、筐体保持部６０Ｅの底面６０ＥＸにおいて中央部に１つの操作ボタン７５が配置されると共に、装着部他端寄りに２つの操作ボタン７６及び７７が配置されている。
【０２１０】
因みに、筐体保持部６０Ｅの底面６０ＥＸの中央部に配置された操作ボタン７５は、例えば、音声データに対する再生開始や一時停止の命令をトグル式で入力するためのものである。
【０２１１】
また筐体保持部６０Ｅの底面６０ＥＸの装着部他端寄りに配置された一方の操作ボタン７６は、例えば、音声データに対する早送り再生や、次の音声データへの再生切換の命令を、押下時間の違いに応じて入力するためのものである。
【０２１２】
さらに筐体保持部６０Ｅの底面６０ＥＸの装着部他端寄りに配置された他方の操作ボタン７７は、例えば、音声データに対する早戻し再生や、前の音声データへの再生切換の命令を、押下時間の違いに応じて入力するためのものである。
【０２１３】
実際に基板収納室６０Ｈ内の回路基板７０（図１０）の一面には、各操作ボタン７５乃至７７と対向するようにダイヤフラムのようなスイッチ素子７８が実装されている。
【０２１４】
そしてイヤホン装着部５９のＣＰＵは、イヤホン装置３を装着してはいない状態（すなわち、筐体保持部６０Ｅの底面６０ＥＸを開放している状態）で、操作ボタン７５乃至７７が押下操作されると、その押下操作を、対応するスイッチ素子７８を介して検出する。
【０２１５】
またイヤホン装着部５９のＣＰＵは、そのスイッチ素子７８による押下操作の検出結果を、外部端子７１及び７２を順次介して携帯型再生装置２内のＣＰＵに通知する。
【０２１６】
これにより携帯型再生装置２内のＣＰＵは、イヤホン装着部５９から通知された検出結果に基づき、当該イヤホン装着部５９の操作ボタン７５乃至７７を介して入力された命令を検出し、当該検出した命令に応じた処理を実行する。
【０２１７】
このようにしてイヤホン装着部５９は、イヤホン装置３を装着してはいない場合、筐体保持部６０内の操作ボタン７５乃至７７を介して各種命令を入力させ得るようになされている。
【０２１８】
ところで装着部筐体６０（図５乃至図７及び図１０）は、筐体保持部６０Ｅの底面６０ＥＸの装着部一端側中央部に、当該底面６０ＥＸよりも一段高い四角形状の段差部６０ＥＭが形成されている。
【０２１９】
また装着部筐体６０は、筐体保持部６０Ｅの底面６０ＥＸの装着部他端側に、当該底面６０ＥＸよりも一段高い帯状の段差部６０ＥＮが装着部幅方向と平行に形成されている。
【０２２０】
さらに各段差部６０ＥＭ及び６０ＥＮは、筐体保持部６０Ｅの底面６０ＥＸから、当該段差部６０ＥＭ及び６０ＥＮの平坦な上面までの高さが、その底面６０Ｅから、これに配置された操作ボタン７５乃至７７の上面までの高さよりも僅かに高く選定されている。
【０２２１】
そして装着部筐体６０は、イヤホン装置３の装着時、筐体保持部６０Ｅ内に保持した右筐体３０の右筐体裏面３０Ｆにおいて右筐体一端側を一方の段差部６０ＥＭの上面に当接させると共に、右筐体他端側を他方の段差部６０ＥＮの上面に当接させる。
【０２２２】
また装着部筐体６０は、イヤホン装置３の装着時、筐体保持部６０Ｅ内に保持した左筐体３１の左筐体裏面３１Ｆにおいて左筐体一端側を一方の段差部６０ＥＭの上面に当接させると共に、左筐体他端側を他方の段差部６０ＥＮの上面に当接させる。
【０２２３】
よって装着部筐体６０は、イヤホン装置３の装着時、筐体保持部６０Ｅ内に保持した右筐体３０及び左筐体３１の右筐体裏面３０Ｆ及び左筐体裏面３１Ｆにより、操作ボタン７５乃至７７が押下されること（すなわち、誤操作）を防止することができる。
【０２２４】
ところで携帯型再生装置２には、上述したホールドスイッチ１９が、例えば、装置長手方向に沿って所定のスライド範囲の一端側と他端側とにそれぞれスライド操作し得るように設けられている。
【０２２５】
そして携帯型再生装置２は、例えば、ホールドスイッチ１９がスライド範囲の一端側にスライド操作されていると、装置正面１０Ｅの各種操作ボタン１２乃至１４と、装置一側面１０Ｃの音量調整ボタン１７及び無線通信ボタン１８との操作を無効にする。
【０２２６】
また携帯型再生装置２は、例えば、ホールドスイッチ１９がスライド範囲の他端側にスライド操作されていると、装置正面１０Ｅの各種操作ボタン１２乃至１４と、装置一側面１０Ｃの音量調整ボタン１７及び無線通信ボタン１８との操作を有効にする。
【０２２７】
これにより携帯型再生装置２は、例えば、鞄の中に入れられているときにホールドスイッチ１９がスライド範囲の一端側にスライド操作されていると、鞄の中で各種操作ボタン１２乃至１４等が他の物で誤って押されても、これを無視することができる。
【０２２８】
すなわち、携帯型再生装置２は、このように鞄の中で各種操作ボタン１２乃至１４等が他の物で誤って押されても、その際にユーザの意志に反して不要な処理を実行することを回避している。
【０２２９】
ただし携帯型再生装置２は、このようなホールドスイッチ１９による操作の無効化を、装置正面１０Ｅの各種操作ボタン１２乃至１４と、装置一側面１０Ｃの音量調整ボタン１７及び無線通信ボタン１８とに対してのみ適用している。
【０２３０】
すなわち、携帯型再生装置２は、イヤホン装着部５９の各操作ボタン７５乃至７７の操作を受け付けるように構成されてはいるものの、ホールドスイッチ１９による操作の無効化を、これら各操作ボタン７５乃至７７については適用していない。
【０２３１】
このためイヤホン装着部５９は、イヤホン装置３の装着時、筐体保持部６０Ｅを右筐体３０及び左筐体３１によって閉塞して各操作ボタン７５乃至７７を外部から隠蔽する。
【０２３２】
これによりイヤホン装着部５９は、例えば、携帯型再生装置２が使用されていないときにイヤホン装置３が装着されていると、各操作ボタン７５乃至７７が誤操作されることを確実に回避することができる。
【０２３３】
一方、イヤホン装着部５９は、携帯型再生装置２と共にイヤホン装置３が使用されている間は、筐体保持部６０Ｅ内の各操作ボタン７５乃至７７を外部に露出させることになる。
【０２３４】
しかしながら装着部筐体６０は、筐体保持部６０Ｅの周囲に肉厚の（すなわち、筐体保持部６０Ｅの底面６０ＥＸよりも高い）縁部（すなわち、幅一方向縁部６０Ａ、幅他方向縁部６０Ｂ、一端側縁部６０Ｃ、他端側縁部６０Ｄ）が設けられている。
【０２３５】
よってイヤホン装着部５９は、例えば、イヤホン装置３と共に使用されている携帯型再生装置２が鞄の中に入れられていても、筐体保持部６０Ｅの周囲の縁部により、各操作ボタン７５乃至７７を鞄の中の他の物で押され難くすることができる。
【０２３６】
また装着部筐体６０は、筐体保持部６０Ｅの周囲の縁部の中で、幅一方向縁部６０Ａ、幅他方向縁部６０Ｂ及び一端側縁部６０Ｃの高さがほぼ等しく選定されているものの、他端側縁部６０Ｄの高さのみは、他の部分よりも高く選定されている。
【０２３７】
これによりイヤホン装着部５９は、例えば、イヤホン装置３と共に使用されている携帯型再生装置２が鞄の中に入れられているとき、その鞄の中に手が入れられて縁部が触られると、他端側縁部６０Ｄを他の部分とは容易に区別させることができる。
【０２３８】
従ってイヤホン装着部５９は、この際、鞄の中から携帯型再生装置２をわざわざ取り出させなくても、その鞄の中に手を入れさせて他端側縁部６０Ｄの位置を手がかりに、各操作ボタン７５乃至７７を容易に区別させて操作させることができる。
【０２３９】
［１−２  実施の形態の動作及び効果］
以上の構成において、携帯再生システム１は、イヤホン装置３の右耳装着部２７の右筐体３０に、右イヤホン２５のドライバ収納部４０が、内部の振動板の一面を右筐体表面３０Ｅ側に向けた状態で右筐体一側面３０Ａから右筐体幅一方向へ突出させて設けられる。
【０２４０】
また携帯再生システム１は、イヤホン装置３の右耳装着部２７の右イヤホン２５において、ドライバ収納部４０にイヤピース４２が、その中心軸を振動板の中心軸に対して垂直にして設けられる。
【０２４１】
さらに携帯再生システム１は、イヤホン装置３の左耳装着部２８の左筐体３１に、左イヤホン２５のドライバ収納部５０が、内部の振動板の一面を左筐体表面３１Ｅ側に向けた状態で左筐体一側面３１Ａから左筐体幅一方向へ突出させて設けられる。
【０２４２】
さらに携帯再生システム１は、イヤホン装置３の左耳装着部２８の左イヤホン２６において、ドライバ収納部５０に対しイヤピース５２が、その中心軸を振動板の中心軸に対して垂直にして設けられる。
【０２４３】
一方、携帯再生システム１は、携帯型再生装置２において装置筐体１０の装置背面１０Ｆにイヤホン装着部５９が設けられる。
【０２４４】
そして携帯再生システム１は、イヤホン装置３の非使用時、イヤホン装着部５９に対し、右耳装着部２７を右イヤホン２５の振動板の中心軸を装置背面１０Ｆに対して垂直にして（すなわち、振動板の中心軸を装置厚み方向と平行にして）装着させる。
【０２４５】
また携帯再生システム１は、イヤホン装置３の非使用時、イヤホン装着部５９に対し、左耳装着部２８も、左イヤホン２６の振動板の中心軸を装置背面１０Ｆに対して垂直にして（すなわち、振動板の中心軸を装置厚み方向と平行にして）装着させる。
【０２４６】
従って携帯再生システム１は、イヤホン装置３の非使用時、携帯型再生装置２のイヤホン装着部５９に対しイヤホン装置３を装着させて、当該イヤホン装置３を、イヤホン装着部５９を介して携帯型再生装置２と一体化させることができる。
【０２４７】
よって携帯再生システム１は、携帯型再生装置２を、持運時や保管時等にイヤホン装置３と一緒にしておくことができ、その携帯型再生装置２により音声データを再生する際、いちいちイヤホン装置３を探させるような煩わしさを回避することができる。
【０２４８】
ところで、イヤホン装置３に設けられる振動板は、その径が大きいほど、当該振動板を振動させて発生させる音声の音質を向上させることができる。
【０２４９】
このため、最近では、イヤピースを有する一般的なカナル型のイヤホン装置でも、径の大きな振動板を採用して、出力音声の音質を向上させるようにしたものが増えてきている。
【０２５０】
ただし、一般的なカナル型のイヤホン装置には、イヤピースの中心軸を振動板の中心軸に一致させ、又は振動板の中心軸に対し僅かに傾けるようにして、当該イヤピースがその先端部を振動板の一面が向く方向に向けるように設けられている。
【０２５１】
そして、このような一般的なカナル型のイヤホン装置については、仮に携帯型再生装置の装置背面に、振動板の中心軸を装置厚み方向と平行にした状態で装着されると、装置背面上の振動板からさらに装置厚み他方向にイヤピースを突出させることになる。
【０２５２】
すなわち、一般的なカナル型のイヤホン装置については、このようにして携帯型再生装置の装置背面に装着されると、当該イヤホン装置及び携帯型再生装置の全体を装置厚み方向に大型化させることになる。
【０２５３】
これに対して一般的なカナル型のイヤホン装置については、仮に携帯型再生装置の装置背面に、振動板の中心軸を装置幅方向と平行にした状態で装着されると、イヤピースを装置背面に沿わせるように配置することができる。
【０２５４】
しかしながら、一般的なカナル型のイヤホン装置については、このようにして携帯型再生装置の装置背面に装着されると、装置背面から振動板を立てた状態で突出させることなる。
【０２５５】
そして一般的なカナル型のイヤホン装置については、このような場合、出力音声の音質を向上させるために振動板の径が大きいほど、装置背面から、その振動板をより大きく突出させることになる。
【０２５６】
すなわち、一般的なカナル型のイヤホン装置については、このようにして携帯型再生装置の装置背面に装着されても、当該イヤホン装置及び携帯型再生装置の全体を装置厚み方向に大型化させることになる。
【０２５７】
これに対して携帯再生システム１は、上述したようにイヤホン装置３においてイヤピース４２及び５２がそれぞれ、当該イヤピース４２及び５２の中心軸を振動板の中心軸に対して垂直にして設けられている。
【０２５８】
そして携帯再生システム１は、携帯型再生装置２の装置背面１０Ｆに設けられたイヤホン装着部５９に対し、イヤホン装置３を右イヤホン２５及び左イヤホン２６それぞれの振動板の中心軸を装置背面１０Ｆに対して垂直にするようにして装着している。
【０２５９】
すなわち、携帯再生システム１は、携帯型再生装置２の装置背面１０Ｆに対しイヤホン装置３を、振動板を寝かせた状態にして（振動板の他面を装置背面１０Ｆに向けて）、振動板とイヤピース４２及び５２とを一列に並べて装着する。
【０２６０】
従って携帯再生システム１は、携帯型再生装置２の装置背面１０Ｆにイヤホン装着部５９を介してイヤホン装置３を装着した場合、イヤホン装置３及び携帯型再生装置２の全体が装置厚み方向に大型化することを防止することができる。
【０２６１】
以上の構成によれば、携帯再生システム１は、イヤホン装置３の右イヤホン２５において、振動板を収納するドライバ収納部４０にイヤピース４２を、その中心軸を当該振動板の中心軸に対して垂直にして設けると共に、左イヤホン２６において、振動板を収納するドライバ収納部５０にイヤピース５２を、その中心軸を振動板の中心軸に対して垂直にして設け、携帯型再生装置２の装置背面１０Ｆに設けられたイヤホン装着部５９に対してイヤホン装置３の右イヤホン２５及び左イヤホン２６を、これらの振動板の中心軸を装置背面１０Ｆに対して垂直にして装着するようにした。
【０２６２】
これにより携帯再生システム１は、イヤホン装置３の非使用時、携帯型再生装置２のイヤホン装着部５９に対し、装置厚み方向に大型化することを防止しながらイヤホン装置３を装着させて一体化しておくことができる。よって携帯再生システム１は、携帯型再生装置２の使い勝手を格段的に向上させることができる。
【０２６３】
また携帯再生システム１は、イヤホン装置３において右イヤホン２５を、通信回路が実装された回路基板３８を収納する右筐体３０に対し、右筐体一側面３０Ａから右筐体幅一方向へ突出させて設けるようにした。
【０２６４】
さらに携帯再生システム１は、イヤホン装置３において左イヤホン２６を、バッテリ４８を収納する左筐体３１に対し、左筐体一側面３１Ａから左筐体幅一方向へ突出させて設けるようにした。
【０２６５】
そして携帯再生システム１は、携帯型再生装置２のイヤホン装着部５９に対しイヤホン装置３を、右筐体３０及び左筐体３１を背中合わせにして２つのイヤピース４２及び５２の先端を互いに反対方向を向けた装着姿勢で装着するようにした。
【０２６６】
従って携帯再生システム１は、イヤホン装着部５９に対し、イヤホン装置３の右筐体３０及び左筐体３１を離して別々の位置に装着する場合に比べて、当該イヤホン装置３を大幅に小さい装着スペースで装着することができる。
【０２６７】
さらに携帯再生システム１は、イヤホン装着部５９において筐体保持部６０Ｅの周囲の縁部の外面に一周に渡って巻取用切欠部６０Ｇが形成され、イヤホン装置３を装着した場合、その巻取用切欠部６０Ｇにイヤホンケーブル２９を巻き取るようにした。
【０２６８】
従って携帯再生システム１は、携帯型再生装置２のイヤホン装着部５９にイヤホン装置３を装着した場合、右耳装着部２７及び左耳装着部２８のみならずにイヤホンケーブル２９までも携帯型再生装置２と一体化させることができる。
【０２６９】
よって携帯再生システム１は、このようにしてイヤホン装置３を携帯型再生装置２と一体化した場合、イヤホンケーブル２９が絡まり、また他の物に引っかかることを防止することができる。
【０２７０】
さらに携帯再生システム１は、イヤホン装着部５９の筐体保持部６０Ｅの底面６０ＥＸに対し、携帯型再生装置２に各種命令を入力するための操作ボタン７５乃至７７を配置するようにした。
【０２７１】
従って携帯再生システム１は、イヤホン装置３の使用時、イヤホン装着部５９の操作ボタン７５乃至７７を操作させて携帯型再生装置２に種々の命令を入力させることができる。
【０２７２】
そして携帯再生システム１は、イヤホン装着部５９において筐体保持部６０Ｅの周囲の縁部の中で他端側縁部６０Ｄの高さのみを、他の部分よりも高くした。
【０２７３】
従って携帯再生システム１は、イヤホン装置３の使用時に携帯型再生装置２が鞄の中に入れられていても、その鞄の中に手を入れさせて縁部を触らせることで、イヤホン装着部５９の他端側縁部６０Ｄを容易に判別させることができる。
【０２７４】
よって携帯再生システム１は、イヤホン装置３の使用時、鞄の中から携帯型再生装置２をわざわざ取り出させなくても、その鞄の中に手を入れさせて他端側縁部６０Ｄの位置を手がかりに、各操作ボタン７５乃至７７を容易に区別させて操作させることができる。
【０２７５】
さらに携帯再生システム１は、イヤホン装置３の非使用時、携帯型再生装置２のイヤホン装着部５９に対し当該イヤホン装置３を、筐体保持部６０内の各操作ボタン７５乃至７７を外部から隠蔽するように装着するようにした。
【０２７６】
従って携帯再生システム１は、イヤホン装置３の非使用時に携帯型再生装置２のイヤホン装着部５９に当該イヤホン装置３が装着されると、当該イヤホン装着部５９の各操作ボタン７５乃至７７が誤操作されることを確実に防止することができる。
【０２７７】
さらに携帯再生システム１は、イヤホン装着部５９に対し携帯型再生装置２内の回路基板に電気的に接続された接続端子６２及び６３を設け、イヤホン装置３の装着時、接続端子６２及び６３をイヤホン装置３のバッテリ４８と電気的に接続するようにした。
【０２７８】
これにより携帯再生システム１は、携帯型再生装置２のイヤホン装着部５９にイヤホン装置３が装着されると、携帯型再生装置２のバッテリからイヤホン装置３のバッテリ４８に充電用電力を供給して充電することができる。
【０２７９】
よって携帯再生システム１は、外出先でのイヤホン装置３の使用中にバッテリ４８が切れても、イヤホン装置３をイヤホン装着部５９に装着させることで、バッテリ４８を容易に充電して、再びイヤホン装置３を使用可能にすることができる。
【０２８０】
＜２．変形例＞
［２−１  変形例１］
なお上述した実施の形態においては、携帯型再生装置２において装置筐体１０の装置背面１０Ｆにイヤホン装着部５９の装着部筐体６０を固定して設けるようにした場合について述べた。
【０２８１】
しかしながら本発明は、これに限らず、図５との対応部分に同一符号を付した図１３に示すように、携帯型再生装置８０の装置筐体８１の装置背面８１Ａに対し、イヤホン装着部８２の装着部筐体を着脱可能に装着するようにしても良い。
【０２８２】
本発明は、かかる構成の場合、例えば、装置筐体８１の装置背面８１Ａとイヤホン装着部８２の装着部筐体の下面との一方に図示しない装着用の突起部を設けると共に、他方に図示しない装着用の穴部を設けるようにする。
【０２８３】
これにより、かかる構成の携帯型再生装置８０は、装置筐体８１の装置背面８１Ａにイヤホン装着部８２の装着部筐体を、その装着用の突起部と穴部とを係合させるようにして装着することができる。
【０２８４】
また、かかる構成の携帯型再生装置８０では、装置筐体８１の装置背面８１Ａの所定位置に外部端子８３を設ける。さらにイヤホン装着部８２の装着部筐体についても、下面に、その外部端子に対応する接続端子（図示せず）を設けるようにする。
【０２８５】
そして携帯型再生装置８０は、装置筐体８１の装置背面８１Ａにイヤホン装着部８２の装着部筐体が装着されたとき、自己の外部端子８３にイヤホン装着部８２の接続端子を電気的に接続する。
【０２８６】
これにより携帯型再生装置８５は、内部の回路基板を、外部端子８３を介してイヤホン装着部８７内の回路基板と電気的に接続する。
【０２８７】
よって、かかる構成のイヤホン装着部８２は、上述した実施の形態と同様に操作ボタン７５乃至７７を操作させて携帯型再生装置８０に種々の命令を入力させることができると共に、イヤホン装置３のバッテリ４８を充電することができる。
【０２８８】
また図５との対応部分に同一符号を付した図１４に示すように、本発明は、携帯型再生装置８５の装置筐体８６の装置背面８６Ａに対し、イヤホン装着部８７の装着部筐体を着脱可能に装着するように構成した場合、イヤホン装着部８７に外部コネクタを設ける。
【０２８９】
そしてイヤホン装着部８７は、携帯型再生装置８５への装着部筐体の装着時、外部コネクタを、接続ケーブル８８を介して当該携帯型再生装置８５の外部コネクタ１５に接続する。
【０２９０】
これによりイヤホン装着部８７は、内部の回路基板を、接続ケーブル８８を介して携帯型再生装置８５内の回路基板と電気的に接続する。
【０２９１】
よって本発明は、かかる構成でもイヤホン装着部８７において上述した実施の形態と同様に操作ボタン７５乃至７７を操作させて携帯型再生装置８５に種々の命令を入力させることができると共に、イヤホン装置３のバッテリ４８を充電することができる。
【０２９２】
［２−２  変形例２］
また上述した実施の形態においては、装着部筐体６０の筐体保持部６０Ｅ内において係合突起６０ＣＮ及び６０ＣＭ並びに接続端子６１乃至６３を介してイヤホン装置３の右筐体３０及び左筐体３１を保持するようにした場合について述べた。
【０２９３】
しかしながら本発明は、これに限らず、装着部筐体に筐体保持部を開閉する蓋部を設け、その筐体保持部内にイヤホン装置の右筐体及び左筐体を装填した状態で蓋部を閉じるようにして、当該筐体保持部内に右筐体及び左筐体を保持するようにしても良い。
【０２９４】
かかる構成の場合、イヤホン装着部の装着部筐体には、筐体保持部の底面にバッテリの充電用電力を供給するための接続端子を設ける。また左筐体には、左筐体裏面に、その接続端子に対応する充電端子を設ける。
【０２９５】
そして、かかる構成の場合、イヤホン装着部は、装着部筐体の筐体保持部内にイヤホン装置の右筐体及び左筐体が装填されたとき、当該筐体保持部内で左筐体を装着位置に位置決めして接続端子に充電端子を電気的に接続する。
【０２９６】
そのうえで、イヤホン装着部は、筐体保持部に対し蓋部を閉じるようにして、当該筐体保持部内に右筐体及び左筐体を保持するようにしても良い。
【０２９７】
［２−３  変形例３］
さらに上述した実施の形態においては、携帯再生システム１に携帯型再生装置２と無線通信するイヤホン装置３を設けるようにした場合について述べた。
【０２９８】
しかしながら本発明は、これに限らず、図１との対応部分に同一符号を付した図１５に示すように、携帯再生システム９０に携帯型再生装置２と有線接続されるイヤホン装置９１を設けるようにしても良い。
【０２９９】
かかる構成の場合、イヤホン装置９１は、上述した実施の形態と同様構成の右イヤホン９２及び左イヤホン９３にイヤホンケーブル９４の一端側が接続されている。
【０３００】
またイヤホン装置９１は、そのイヤホンケーブル９４の他端に設けられたイヤホンプラグ９５を携帯型再生装置２のイヤホンジャック１６に挿入するようにして、当該携帯型再生装置２と有線接続される。
【０３０１】
そして携帯再生システム９０は、携帯型再生装置２の装置背面１０Ｆに設けられたイヤホン装着部（図示せず）に、そのイヤホン装置９１を、右イヤホン９２及び左イヤホン９３それぞれの振動板の中心軸を装置背面１０Ｆに対して垂直にして装着する。実際に携帯再生システム９０は、この際、上述した実施の形態と同様に、右イヤホン９２及び左イヤホン９３の振動板を近接させて、当該右イヤホン９２のイヤピースの先端と左イヤホン９３のイヤピースの先端とを互いに反対方向へ向けるように一列に並べた装着姿勢で装着する。
【０３０２】
因みに、かかる構成の場合、イヤホン装着部の装着部筐体には、係合爪を設ける。そしてイヤホン装着部は、その係合爪を右イヤホン９２及び左イヤホン９３のドライバ収納部９６及び９７に引っ掛けるようにして当該右イヤホン９２及び左イヤホン９３を装着するようにしても良い。
【０３０３】
また、かかる構成の場合、イヤホン装着部の装着部筐体には、右イヤホン９２及び左イヤホン９３のドライバ収納部９６及び９７を装填するための凹部でなるドライバ保持部と、当該ドライバ保持部を開閉する蓋部を設ける。
【０３０４】
そしてイヤホン装着部は、ドライバ保持部内に右イヤホン９２及び左イヤホン９３のドライバ収納部９６及び９７を装填した状態で蓋部を閉じて、当該ドライバ保持部内にドライバ収納部９６及び９７を保持する。このようにしてイヤホン装着部は、右イヤホン９２及び左イヤホン９３を装着するようにしても良い。
【０３０５】
これにより、かかる構成の携帯再生システム９０でも、イヤホン装置９１の非使用時、携帯型再生装置２のイヤホン装着部にイヤホン装置９１を装着して上述した実施の形態と同様の効果を得ることができる。
【０３０６】
［２−４  変形例４］
さらに上述した実施の形態においては、イヤホン装着部５９に対しイヤホン装置３を、右筐体３０及び左筐体３１を背中合わせにして２つのイヤピース４２及び５２の先端を互いに反対方向に向けた装着姿勢で装着するようにした場合について述べた。
【０３０７】
しかしながら本発明は、これに限らず、イヤホン装着部に対しイヤホン装置３を、右筐体３０及び左筐体３１の右筐体他端面３０Ｄ及び左筐体他端面３１Ｄを接触させるように並べた装着姿勢で装着するようにしても良い。
【０３０８】
また本発明は、イヤホン装着部に対しイヤホン装置３を、右筐体３０及び左筐体３１の右筐体一側面３０Ａ及び左筐体一側面３１Ａを接触させるように並べた装着姿勢で装着するようにしても良い。
【０３０９】
因みに、かかる構成の場合、本発明は、２つのイヤピース４２及び５２の先端を対向させても良いし、２つのイヤピース４２及び５２を、これらの中心軸を平行にして並べるようにしても良い。
【０３１０】
すなわち、本発明は、イヤホン装着部に対しイヤホン装置３を、この他種々の装着姿勢で装着するようにしても良い。
【０３１１】
［２−５  変形例５］
さらに上述した実施の形態においては、携帯型再生装置２において装置筐体１０の装置背面１０Ｆにイヤホン装着部５９を設けるようにした場合について述べた。
【０３１２】
しかしながら本発明は、これに限らず、携帯型再生装置において装置筐体の装置正面の例えば、装置一端寄りにディスプレイ１１を配置し、装置他端寄りに操作ボタン１２乃至１４に替えてイヤホン装着部５９を設けるようにしても良い。
【０３１３】
かかる構成によれば、携帯型再生装置にイヤホン装着部の操作ボタンのみを設けることにより、当該携帯型再生装置の構成を簡易化することができる。
【０３１４】
［２−６  変形例６］
さらに上述した実施の形態においては、本発明の携帯機器を、図１乃至図１５について上述した携帯型再生装置２に適用するようにした場合について述べた。
【０３１５】
しかしながら本発明は、これに限らず、ノートブック型のパーソナルコンピュータや携帯電話機、ＰＤＡ（Personal  Digital  Assistance）、携帯型ゲーム機器等の情報処理装置に適用することができる。また本発明は、デジタルビデオカメラやデジタルスチルカメラ、携帯型ラジオ、トランシーバ等のように、この他種々の構成の携帯機器にも適用することができる。
【０３１６】
［２−７  変形例７］
さらに上述した実施の形態においては、本発明のイヤホン装着装置を、図１乃至図１５について上述したイヤホン装着部５９に適用するようにした場合について述べた。
【０３１７】
しかしながら本発明は、これに限らず、携帯機器の所定面に着脱可能に設けられるイヤホン装着装置のように、この他種々の構成のイヤホン装着装置に適用することができる。
【０３１８】
［２−８  変形例８］
さらに上述した実施の形態においては、本発明の携帯再生システムを、図１乃至図１５について上述した携帯再生システム１に適用するようにした場合について述べた。
【０３１９】
しかしながら本発明は、これに限らず、上述したノートブック型のパーソナルコンピュータや携帯電話機、ＰＤＡ等の種々の携帯機器を有する携帯再生システム等ように、この他種々の構成の携帯再生システムに適用することができる。
【０３２０】
［２−９  変形例９］
さらに上述した実施の形態においては、イヤピースと振動板とが互いの中心軸を垂直にして設けられたイヤホンとして、図１乃至図１５について上述したステレオ用の右イヤホン２５及び左イヤホン２６を有するイヤホン装置３を適用するようにした場合について述べた。
【０３２１】
しかしながら本発明は、これに限らず、携帯型再生装置２と有線接続するイヤホン、携帯型再生装置２と有線接続又は無線接続するモノラル用の一対のイヤホンやモノラル用の方耳分だけのイヤホンを適用することができる。また本発明は、右イヤホン及び左イヤホンが設けられる右筐体及び左筐体に、例えば、ノイズキャンセリング機能を実現するためのマイクロホンが収納されたイヤホン装置等のように、この他種々の構成のイヤホンも適用することができる。
【０３２２】
［２−１０  変形例１０］
さらに上述した実施の形態においては、イヤピースと振動板とが互いの中心軸を垂直にして設けられたイヤホンに音声データを供給するための回路として、図１乃至図１５について上述した携帯型再生装置２の装置筐体１０内に設けられたＣＰＵ及び通信回路を適用するようにした場合について述べた。
【０３２３】
しかしながら本発明は、これに限らず、携帯型再生装置２の装置筐体１０内に設けられ、当該携帯型再生装置に有線接続されたイヤホン装置に音声データをアナログの音声信号として供給するＣＰＵ及びデジタルアナログ変換器等のように、この他種々の回路を広く適用することができる。
【０３２４】
［２−１１  変形例１１］
さらに上述した実施の形態においては、イヤピースと振動板とが互いの中心軸を垂直にして設けられたイヤホンに音声データを供給するための回路が設けられた装置筐体として、図１乃至図１５について上述した偏平矩形状の装置筐体１０を適用するようにした場合について述べた。
【０３２５】
しかしながら本発明は、これに限らず、スティック状の装置筐体や円盤状の装置筐体等のように、この他種々の構成の装置筐体を広く適用することができる。
【０３２６】
［２−１２  変形例１２］
さらに上述した実施の形態においては、装置筐体の所定面に設けられ、イヤホンを、振動板の中心軸を装置筐体の所定面に対して垂直にして着脱可能に装着するイヤホン装着部として、図１乃至図１５について上述した略偏平四角形状の装着部筐体６０を有するイヤホン装着部５９を適用するようにした場合について述べた。
【０３２７】
しかしながら本発明は、これに限らず、装置筐体の形状やイヤホンの装着姿勢に応じたスティック状の装着部筐体や円盤状の装着部筐体を有するイヤホン装着部等のように、この他種々の構成のイヤホン装着部を広く適用することができる。
【０３２８】
［２−１３  変形例１３］
さらに上述した実施の形態においては、イヤホン装着部に設けられ、右イヤホンが一方の側面から突出するように設けられた右筐体と、左イヤホンが一方の側面から突出するように設けられた左筐体とを、互いの他方の側面を接触させた装着姿勢で保持するための凹部でなる筐体保持部として、図１乃至図１５について上述した装着部筐体６０の筐体保持部６０Ｅを適用するようにした場合について述べた。
【０３２９】
しかしながら本発明は、これに限らず、右筐体及び左筐体の形状に応じた形状の凹部でなる筐体保持部等のように、この他種々の構成の筐体保持部を広く適用することができる。
【０３３０】
［２−１４  変形例１４］
さらに上述した実施の形態においては、イヤホン装着部の筐体保持部の底面に配置された１又は複数の操作ボタンとして、図１乃至図１５について上述した操作ボタン７５乃至７７を適用するようにした場合について述べた。
【０３３１】
しかしながら本発明は、これに限らず、かかる操作ボタン７５乃至７７に替えて配置し、又は加えて配置する音声調整ボタンや音質調整ボタン等のように、この他種々の操作ボタンを広く適用することができる。
【０３３２】
［２−１５  変形例１５］
さらに上述した実施の形態においては、イヤホン装着部に設けられ、右イヤホンと左イヤホンとに接続されたイヤホンケーブルを巻き取るためのケーブル巻取部として、図１乃至図１５について上述した装着部筐体６０の外面に一周に渡って形成された巻取用切欠部６０Ｇを適用するようにした場合について述べた。
【０３３３】
しかしながら本発明は、これに限らず、装着部筐体に隣接して設けられたイヤホンケーブル巻取用の突起部等のように、この他種々の構成のケーブル巻取部を広く適用することができる。
【０３３４】
［２−１６  変形例１６］
さらに上述した実施の形態においては、右筐体及び左筐体の一方に収納されたバッテリとして、図１乃至図１５について上述した左筐体３０に収納されたバッテリ４８を適用するようにした場合について述べた。
【０３３５】
しかしながら本発明は、これに限らず、左筐体３１に回路基板を収納することで、右筐体３０に収納されたバッテリを適用するようにしても良い。
【０３３６】
［２−１７  変形例１７］
さらに上述した実施の形態においては、イヤホン装着部に設けられ、右イヤホン及び左イヤホンの装着時、右筐体及び左筐体の一方に収納されたバッテリと電気的に接続される接続端子として、図１乃至図１５について上述した装着部筐体６０に設けられた接続端子６２及び６３を適用するようにした場合について述べた。
【０３３７】
しかしながら本発明は、これに限らず、右イヤホン又は左イヤホンの右筐体又は左筐体に対する充電端子の配置位置に応じて、イヤホン装着部において筐体装着部６０の段差部６０ＥＭ又は６０ＥＮに設けられた接続端子等のように、この他種々の接続端子を広く適用することができる。
【０３３８】
［２−１８  変形例１８］
さらに上述した実施の形態においては、イヤホン装着部に対する右イヤホン及び左イヤホンの装着時、装置筐体内のバッテリから供給される電力により、右筐体及び左筐体の一方に収納されたバッテリを充電する充電回路として、図１乃至図１５について上述したイヤホン装着部５９の回路基板７０に回路素子として実装された充電回路を適用するようにした場合について述べた。
【０３３９】
しかしながら本発明は、これに限らず、携帯型再生装置２の回路基板に回路素子として実装された充電回路のように、この他種々の充電回路を適用することができる。
【０３４０】
［２−１９  変形例１９］
さらに上述した実施の形態においては、携帯機器の所定面に設けられ、イヤピースと振動板とが互いの中心軸を垂直にして設けられたイヤホンを、振動板の中心軸を装置筐体の所定面に対して垂直にして着脱可能に装着する装着部筐体として、図１乃至図１５について上述した装置筐体１０の装置背面１０Ｆに設けられた装着部筐体６０を適用するようにした場合について述べた。
【０３４１】
しかしながら本発明は、これに限らず、装置筐体の装置正面に固定的又は着脱可能に設けられた装着部筐体等のように、この他種々の装着部筐体を広く適用することができる。
【産業上の利用可能性】
【０３４２】
本発明は、携帯型再生装置や携帯電話機等の携帯機器にイヤホン装着部を介してイヤホンを装着する携帯再生システムに利用することができる。
【符号の説明】
【０３４３】
１、９０……携帯再生システム、２、８０、８５……携帯型再生装置、３、８２、８７、９１……イヤホン装置、１０……装置筐体、２５、９２……右イヤホン、２６、９３……左イヤホン、２７……右耳装着部、２８……左耳装着部、２９、９４……イヤホンケーブル、３０……右筐体、３１……左筐体、４０、５０……ドライバ収納部、４１、５１……音導管、４２、５２……イヤピース、４３、５３……イヤホンドライバ、４８……バッテリ、５９、８２、８７……イヤホン装着部、６０……装着部筐体、６０Ｅ……筐体保持部、６１乃至６３……接続端子、７５乃至７７……操作ボタン。
【図１】
2010219775.tif 000003
【図２】
2010219775.tif 000004
【図３】
2010219775.tif 000005
【図４】
2010219775.tif 000006
【図５】
2010219775.tif 000007
【図６】
2010219775.tif 000008
【図７】
2010219775.tif 000009
【図８】
2010219775.tif 000010
【図９】
2010219775.tif 000011
【図１０】
2010219775.tif 000012
【図１１】
2010219775.tif 000013
【図１２】
2010219775.tif 000014
【図１３】
2010219775.tif 000015
【図１４】
2010219775.tif 000016
【図１５】
2010219775.tif 000017